(57)【特許請求の範囲】
【請求項１】
ダウンリンクマルチポイント協調通信において協調送信ポイントを選択する、協調送信ポイントの選択方法であって、
ステップＡにおいて、サービング基地局が、移動局によって報告された協調セルの測定情報を受信し、前記測定情報は、予め設定された、サービングセルの第１の協調セルリストにおける協調セルを前記移動局が測定して得られた情報であり、サービング基地局が、前記報告された測定情報に応じて、サービングセルの第２の協調セルリストを確立し、前記第２の協調セルリストにおける協調セルは、前記第１の協調セルリストにおける、予め設定された第１閾値より信号強度が大きい協調セルであり、
ステップＢにおいて、前記サービング基地局が、前記第２の協調セルリストにおける、予め設定された条件を満たす協調セルを前記サービングセルの協調送信ポイントに決定し、
前記ステップＢにおいて、前記第２の協調セルリストに、前記サービング基地局に所属する第１の協調セルが存在する場合、前記第１の協調セルを協調送信ポイントに決定し、前記第１の協調セルの動作モードを共同処理モードに設定する
ことを特徴とする協調送信ポイントの選択方法。
【請求項２】
前記ステップＡにおいて、前記移動局が前記第１の協調セルリストにおける協調セルに対して行う測定は、前記移動局がサービングセルのエッジに移動した場合、又はサービングセルのサービス品質が、予め設定されたユーザ要求を満たすことができない場合に、前記サービング基地局又は前記移動局自身によりトリガーされる測定である
ことを特徴とする請求項１に記載の選択方法。
【請求項３】
前記ステップＢにおいて、前記第２の協調セルリストに、前記サービング基地局とは異なる基地局に所属する第２の協調セルが存在する場合、更に、
前記サービング基地局が、前記第２の協調セルが所属する基地局と情報インタラクションを行い、予め設定された協調条件を前記第２の協調セルが満たすことをインタラクション情報が示した場合、前記第２の協調セルを協調送信ポイントに決定する
ことを特徴とする請求項１に記載の選択方法。
【請求項４】
以下に示す各協調条件のうち１つ以上の協調条件を第２の協調セルが満たすことを前記インタラクション情報が示した場合、前記第２の協調セルを協調送信ポイントに決定し、
前記協調条件は、
ａ、前記第２の協調セルの負荷が、予め設定された第２閾値より小さい、
ｂ、前記第２の協調セルによって占有されたリソースと、前記サービング基地局によって前記移動局に割り当てられたリソースとが衝突しない、
ｃ、前記第２の協調セルの負荷が、予め設定された第３閾値より大きく、且つ予め設定された第４閾値より小さい、
ｄ、前記第２の協調セルの測定パワーが、予め設定されたパワー閾値より大きい、
ｅ、前記第２の協調セルが、前記第２の協調セルリストにおける、測定パワーが一番強い又は二番目強い協調セルである
ことであることを特徴とする請求項３に記載の選択方法。
【請求項５】
前記ステップＢにおいて、前記サービング基地局とは異なる基地局に所属する協調送信ポイントについては、以下に示す各ステップのうち１つ以上のステップを更に含み、
前記ステップは、
占用されたリソースと前記サービングセルによって割り当てられたリソースとが衝突した協調送信ポイントの動作モードを、協調スケジューリング又はビームフォーミングモードに設定するステップ
協調送信ポイントとサービングセルがどちらもシングルアンテナ又は仮想シングルアンテナである場合、前記協調送信ポイントの動作モードを共同処理モードに設定するステップ、
ユーザのスループット要求を満たすことができないサービング基地局の協調送信ポイントの動作モードを共同処理モードに設定するステップ、
予め設定された第３閾値より負荷が大きく且つ予め設定された第４閾値より負荷が小さい協調送信ポイントの動作モードを協調スケジューリング又はビームフォーミングモードに設定するステップ
であることを特徴とする請求項３又は４に記載の選択方法。
【請求項６】
前記ステップＢの後、更に、
前記サービング基地局が前記協調送信ポイントのチャネル情報を測定するように前記移動局に通知し、
前記サービング基地局が、前記協調送信ポイントのチャネル測定情報に応じて、前記協調送信ポイントの初期動作パラメータを決定し、前記初期動作パラメータを前記協調送信ポイントに送信する
ことを特徴とする請求項１〜４のいずれか１項に記載の選択方法。
【請求項７】
前記協調送信ポイントのチャネル情報は、前記移動局によって送信された検出信号に応じて、前記協調送信ポイントにより測定及び取得された情報である
ことを特徴とする請求項６に記載の選択方法。
【請求項８】
ダウンリンクマルチポイント協調通信において協調送信ポイントを選択する、協調送信ポイントの選択装置であって、第１の処理モジュールと決定モジュールとを含むサービング基地局を含み、
前記第１の処理モジュールは、移動局によって報告された協調セルの測定情報を受信し、前記測定情報は、予め設定された、サービングセルの第１の協調セルリストにおける協調セルを前記移動局が測定して得られた情報であり、前記第１の処理モジュールは、前記報告された測定情報に応じて、サービングセルの第２の協調セルリストを確立し、前記第２の協調セルリストにおける協調セルは、前記第１の協調セルリストにおける、予め設定された第１閾値より信号強度が大きい協調セルであり、
前記決定モジュールは、前記第２の協調セルリストにおける、予め設定された協調条件を満たす協調セルを協調送信ポイントに決定し、
前記決定モジュールは、
前記第２の協調セルリストに、前記サービング基地局に所属する第１の協調セルが存在する場合、前記第１の協調セルを協調送信ポイントに決定し、前記第１の協調セルの動作モードを共同処理モードに設定する第１の決定モジュールを含む
ことを特徴とする協調送信ポイントの選択装置。
【請求項９】
前記決定モジュールは、
前記第２の協調セルリストに、前記サービング基地局とは異なる基地局に所属する第２の協調セルが存在する場合、前記第２の協調セルが所属する基地局と情報インタラクションを行うインタラクションモジュールと、
予め設定された協調条件を前記第２の協調セルが満たすことをインタラクション情報が示した場合、前記第２の協調セルを協調送信ポイントに決定する第２の決定モジュールと
を含むことを特徴とする請求項８に記載の選択装置。
【請求項１０】
前記第２の決定モジュールは、以下に示す各協調条件のうち１つ以上の協調条件を第２の協調セルが満たすことを前記インタラクション情報が示した場合、前記第２の協調セルを協調送信ポイントに決定し、
前記協調条件は、
ａ、前記第２の協調セルの負荷が、予め設定された第２閾値より小さい、
ｂ、前記第２の協調セルによって占有されたリソースと、前記サービング基地局によって前記移動局に割り当てられたリソースとが衝突しない、
ｃ、前記第２の協調セルの負荷が、予め設定された第３閾値より大きく、且つ予め設定された第４閾値より小さい、
ｄ、前記第２の協調セルの測定パワーが、予め設定されたパワー閾値より大きい、
ｅ、前記第２の協調セルが、前記第２の協調セルリストにおける、測定パワーが一番強い又は二番目強い協調セルである
ことであることを特徴とする請求項９に記載の選択装置。
【請求項１１】
前記第２の決定モジュールは、更に、以下に示す各方式のうち１つ以上の方式に従って、協調送信ポイントの動作モードを設定し、
前記方式は、
占用されたリソースと前記サービングセルによって割り当てられたリソースとが衝突した協調送信ポイントの動作モードを、協調スケジューリング又はビームフォーミングモードに設定する方式、
占用されたリソースと前記サービングセルによって割り当てられたリソースとが衝突しない協調送信ポイントの動作モードを、共同処理モードに設定する方式、
協調送信ポイントとサービングセルがどちらもシングルアンテナ又は仮想シングルアンテナである場合、前記協調送信ポイントの動作モードを共同処理モードに設定する方式、
ユーザのスループットの要求を満たすことができないサービング基地局の協調送信ポイントの動作モードを共同処理モードに設定する方式、
予め設定された第３閾値より負荷が大きく且つ予め設定された第４閾値より負荷が小さい協調送信ポイントの動作モードを協調スケジューリング又はビームフォーミングモードに設定する方式
であることを特徴とする請求項９又は１０に記載の選択装置。
【請求項１２】
前記サービング基地局は、
前記協調送信ポイントのチャネル情報を測定するように前記移動局に通知する第２の処理モジュールと、
前記協調送信ポイントのチャネル測定情報に応じて、前記協調送信ポイントの初期動作パラメータを決定し、前記初期動作パラメータを前記協調送信ポイントに送信するパラメータ決定モジュールと
を更に含むことを特徴とする請求項８〜１０のいずれか１項に記載の選択装置。
【発明の詳細な説明】
【技術分野】
【０００１】
本発明は、デジタル通信分野に関し、特に、ブロードバンド無線通信システムの進化型システムにおける協調送信ポイントの選択方法及び選択装置に関する。
【背景技術】
【０００２】
第４世代移動通信（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）の重要技術及び概念の研究は、３Ｇ技術が標準化された２０世紀末から開始された。情報技術が発展する主な発展方向は、次世代ブロードバンド無線通信に代表される。無線モバイル通信市場の需求は、１０年先から１５年先まで急速に成長し続けると考えられる。ＩＭＴ−Ａｄｖａｎｃｅｄによって制定された技術要求と目標によると、ＩＭＴ−Ａｄｖａｎｃｅｄは、従来のシステムと比べて、より高いデータレートとより大きいシステム容量を実現しており、その目標ピーク速度は、低速移動及びホットスポットカバレッジの条件で１Ｇｂｉｔ／ｓ以上とされており、高速移動及び広域カバレッジの条件で１００Ｍｂｉｔ／ｓとされている。
【０００３】
マルチポイント協調（ＣｏＭＰ：Ｃｏｏｒｄｉｎａｔｅｄ  Ｍｕｌｔｉ−Ｐｏｉｎｔ）伝送を導入した本来の意図は、例えば、複数の進化型基地局（ｅＮＢ：Ｅｖｏｌｖｅｄ  Ｎｏｄｅ  Ｂａｓｅ）の協調によりサブキャリア間干渉（ＩＣＩ：ＩｎｔｅｒＣａｒｒｉｅｒ  Ｉｎｔｅｒｆｅｒｅｎｃｅ）を除去し、さらに干渉信号を希望信号に変換して、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムにおけるセル間干渉の問題を解決し、セルエッジモバイルユーザのスループットを向上させるためである。研究が深く進むにつれ、ブロードバンド無線通信システムにＣｏＭＰを応用すると、データ伝送レート、セルエッジモバイルユーザのスループット及びシステムのスループットを向上させることができることが明らかになった。この技術は、システム周波数スペクトルの利用率を向上させるための重要な技術であり、３ＧＰＰによってＩＭＴ−Ａｄｖａｎｃｅｄ技術の１つとして既に承認されている。
【０００４】
チャネルフェージング、隣接セル干渉等が原因で、セルエッジモバイルユーザのサービス品質（ＱｏＳ：Ｑｕａｌｉｔｙ  ｏｆ  Ｓｅｒｖｉｃｅ）は、センターユーザのスループットと比べて低下する。
【０００５】
ＣｏＭＰとは、ＵＥが複数のセルのエッジに位置するときに、複数のセルにより共同でＵＥに対してマルチポイントデータ伝送／受信を行うこと、又は、複数のセル間の協調及びスケジューリングにより、セル間干渉を除去して信号品質とデータスループットを向上させることである。現在の３６．８１４フレームの記載において、ＣｏＭＰは、以下に示す２つのカテゴリに分類される。
【０００６】
（１）共同処理（ＪＰ：Ｊｏｉｎｔ  ｐｒｏｃｅｓｓｉｎｇ）：ユーザデータが各協調集合における基地局において使用されることが可能である。
【０００７】
（２）協調スケジューリング／協調ビームフォーミング（ＣＳ／ＣＢ：Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇ）：ユーザデータがサービング基地局のみにおいて使用されることが可能である。
【０００８】
協調集合は、以下のように定義されている。
ＣｏＭＰ協調セル集合：セルの地理的分布に基づいて、ネットワークにより設定された１グループの送信ポイントであり、ＵＥに対する物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の送信に直接的或いは間接的に関与するセルである。
【０００９】
ＣｏＭＰ測定セル集合：ユーザがネットワーク要求に応じて周期的に或いは非周期的に測定を行って関連するチャネル状態と集計情報を報告するセルである。
【００１０】
サービングセル：移動局に物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を送信するセルである。通信過程において、サービングセルは１つだけである。
【００１１】
ＣｏＭＰの特性によれば、ＣｏＭＰ集合に選ばれたセルは、「ＣｏＭＰセルは、同じ周波数バンドを使用する」、「ＣｏＭＰセルエアインターフェースのサブフレーム、シンボルは、基本的に合わせる」、「ＣｏＭＰ集合におけるセルが異なる基地局に所属している場合、これらのセルは、Ｘ２インターフェースを介して互いに接続してメッセージを伝送する」といった特性を有している。
【００１２】
従来技術では、ユーザ共有状況に応じて、基地局をＪＰモード、ＣＳ／ＣＢモードに分け、大抵は、協調集合を静的或いは準静的モードに設定しているだけであり、ダウンリンク協調送信ポイントを決定する具体的なプロセスを提供していない。
【発明の概要】
【発明が解決しようとする課題】
【００１３】
本発明の目的は、従来技術において協調送信ポイントの具体的な選択プロセスを提供していないという技術的問題を解決するための、協調送信ポイントの選択方法及び選択装置を提供することにある。
【課題を解決するための手段】
【００１４】
前記目的を実現するために、本発明は、ダウンリンクマルチポイント協調通信において協調送信ポイントを選択する、協調送信ポイントの選択方法を提供する。
この方法は、
ステップＡにおいて、サービング基地局が、移動局によって報告された協調セルの測定情報を受信し、前記測定情報は、予め設定された、サービングセルの第１の協調セルリストにおける協調セルを前記移動局が測定して得られた情報であり、サービング基地局が、前記報告された測定情報に応じて、サービングセルの第２の協調セルリストを確立し、前記第２の協調セルリストにおける協調セルは、前記第１の協調セルリストにおける、予め設定された第１閾値より信号強度が大きい協調セルであり、
ステップＢにおいて、前記サービング基地局が、前記第２の協調セルリストにおける、予め設定された条件を満たす協調セルを前記サービングセルの協調送信ポイントに決定する。
【００１５】
好ましくは、前記ステップＡにおいて、前記移動局が前記第１の協調セルリストにおける協調セルに対して行う測定は、前記移動局がサービングセルのエッジに移動した場合、又はサービングセルのサービス品質が、予め設定されたユーザ要求を満たすことができない場合に、前記サービング基地局又は前記移動局自身によりトリガーされる測定である。
【００１６】
好ましくは、前記ステップＢにおいて、前記第２の協調セルリストに、前記サービング基地局に所属する第１の協調セルが存在する場合、前記第１の協調セルを協調送信ポイントに決定し、前記第１の協調セルの動作モードを共同処理モードに設定する。
【００１７】
好ましくは、前記ステップＢにおいて、前記第２の協調セルリストに、前記サービング基地局とは異なる基地局に所属する第２の協調セルが存在する場合、更に、
前記サービング基地局が、前記第２の協調セルが所属する基地局と情報インタラクションを行い、予め設定された協調条件を前記第２の協調セルが満たすことをインタラクション情報が示した場合、前記第２の協調セルを協調送信ポイントに決定する。
【００１８】
好ましくは、以下に示す各協調条件のうち１つ以上の協調条件を第２の協調セルが満たすことを前記インタラクション情報が示した場合、前記第２の協調セルを協調送信ポイントに決定し、
前記協調条件は、
ａ、前記第２の協調セルの負荷が、予め設定された第２閾値より小さい、
ｂ、前記第２の協調セルによって占有されたリソースと、前記サービング基地局によって前記移動局に割り当てられたリソースとが衝突しない、
ｃ、前記第２の協調セルの負荷が、予め設定された第３閾値より大きく、且つ予め設定された第４閾値より小さい、
ｄ、前記第２の協調セルの測定パワーが、予め設定されたパワー閾値より大きい、
ｅ、前記第２の協調セルが、前記第２の協調セルリストにおける、測定パワーが一番強い又は二番目強い協調セルである
ことである。
【００１９】
好ましくは、前記ステップＢにおいて、前記サービング基地局とは異なる基地局に所属する協調送信ポイントについては、以下に示す各ステップのうち１つ以上のステップを更に含み、
前記ステップは、
占用されたリソースと前記サービングセルによって割り当てられたリソースとが衝突した協調送信ポイントの動作モードを、協調スケジューリング又はビームフォーミングモードに設定するステップ
協調送信ポイントとサービングセルがどちらもシングルアンテナ又は仮想シングルアンテナである場合、前記協調送信ポイントの動作モードを共同処理モードに設定するステップ、
ユーザのスループット要求を満たすことができないサービング基地局の協調送信ポイントの動作モードを共同処理モードに設定するステップ、
予め設定された第３閾値より負荷が大きく且つ予め設定された第４閾値より負荷が小さい協調送信ポイントの動作モードを協調スケジューリング又はビームフォーミングモードに設定するステップ
である。
【００２０】
好ましくは、前記ステップＢの後、更に、
前記サービング基地局が前記協調送信ポイントのチャネル情報を測定するように前記移動局に通知し、
前記サービング基地局が、前記協調送信ポイントのチャネル測定情報に応じて、前記協調送信ポイントの初期動作パラメータを決定し、前記初期動作パラメータを前記協調送信ポイントに送信する。
【００２１】
好ましくは、前記協調送信ポイントのチャネル情報は、前記移動局によって送信された検出信号に応じて、前記協調送信ポイントにより測定及び取得された情報である。
【００２２】
他の側面よれば、ダウンリンクマルチポイント協調通信において協調送信ポイントを選択する、協調送信ポイントの選択装置が提供される。
選択装置は、第１の処理モジュールと決定モジュールとを含むサービング基地局を含む。
前記第１の処理モジュールは、移動局によって報告された協調セルの測定情報を受信し、前記測定情報は、予め設定された、サービングセルの第１の協調セルリストにおける協調セルを前記移動局が測定して得られた情報であり、前記第１の処理モジュールは、前記報告された測定情報に応じて、サービングセルの第２の協調セルリストを確立し、前記第２の協調セルリストにおける協調セルは、前記第１の協調セルリストにおける、予め設定された第１閾値より信号強度が大きい協調セルである。
前記決定モジュールは、前記第２の協調セルリストにおける、予め設定された協調条件を満たす協調セルを協調送信ポイントに決定する。
【００２３】
好ましくは、前記決定モジュールは、
前記第２の協調セルリストに、前記サービング基地局に所属する第１の協調セルが存在する場合、前記第１の協調セルを協調送信ポイントに決定し、前記第１の協調セルの動作モードを共同処理モードに設定する第１の決定モジュールを含む。
【００２４】
好ましくは、前記決定モジュールは、
前記第２の協調セルリストに、前記サービング基地局とは異なる基地局に所属する第２の協調セルが存在する場合、前記第２の協調セルが所属する基地局と情報インタラクションを行うインタラクションモジュールと、
予め設定された協調条件を前記第２の協調セルが満たすことをインタラクション情報が示した場合、前記第２の協調セルを協調送信ポイントに決定する第２の決定モジュールと
を含む。
【００２５】
好ましくは、前記第２の決定モジュールは、以下に示す各協調条件のうち１つ以上の協調条件を第２の協調セルが満たすことを前記インタラクション情報が示した場合、前記第２の協調セルを協調送信ポイントに決定し、
前記協調条件は、
ａ、前記第２の協調セルの負荷が、予め設定された第２閾値より小さい、
ｂ、前記第２の協調セルによって占有されたリソースと、前記サービング基地局によって前記移動局に割り当てられたリソースとが衝突しない、
ｃ、前記第２の協調セルの負荷が、予め設定された第３閾値より大きく、且つ予め設定された第４閾値より小さい、
ｄ、前記第２の協調セルの測定パワーが、予め設定されたパワー閾値より大きい、
ｅ、前記第２の協調セルが、前記第２の協調セルリストにおける、測定パワーが一番強い又は二番目強い協調セルである
ことである。
【００２６】
好ましくは、前記第２の決定モジュールは、更に、以下に示す各方式のうち１つ以上の方式に従って、協調送信ポイントの動作モードを設定し、
前記方式は、
占用されたリソースと前記サービングセルによって割り当てられたリソースとが衝突した協調送信ポイントの動作モードを、協調スケジューリング又はビームフォーミングモードに設定する方式、
占用されたリソースと前記サービングセルによって割り当てられたリソースとが衝突しない協調送信ポイントの動作モードを、共同処理モードに設定する方式、
協調送信ポイントとサービングセルがどちらもシングルアンテナ又は仮想シングルアンテナである場合、前記協調送信ポイントの動作モードを共同処理モードに設定する方式、
ユーザのスループットの要求を満たすことができないサービング基地局の協調送信ポイントの動作モードを共同処理モードに設定する方式、
予め設定された第３閾値より負荷が大きく且つ予め設定された第４閾値より負荷が小さい協調送信ポイントの動作モードを協調スケジューリング又はビームフォーミングモードに設定する方式
である。
【００２７】
好ましくは、前記サービング基地局は、
前記協調送信ポイントのチャネル情報を測定するように前記移動局に通知する第２の処理モジュールと、
前記協調送信ポイントのチャネル測定情報に応じて、前記協調送信ポイントの初期動作パラメータを決定し、前記初期動作パラメータを前記協調送信ポイントに送信するパラメータ決定モジュールと
を更に含む。
【００２８】
本発明は、以下に示す技術的効果を有している。本発明では、サービング基地局が、移動局によって報告された協調セルの測定情報を受信する。前記測定情報は、予め設定された、サービングセルの第１の協調セルリストにおける協調セルを前記移動局が測定して得られた情報である。そして、サービング基地局が、前記報告された測定情報に応じて、サービングセルの第２の協調セルリストを確立し、前記第２の協調セルリストにおける、予め設定された協調条件を満たす協調セルを協調送信ポイントに決定する。従って、通常の動作モードからダウンリンクマルチポイント協調モードに移行するマルチ協調実現方法が提供され、これにより、セルエッジに位置する移動局がよりよいサービス品質とユーザスループットを取得することができる。
【図面の簡単な説明】
【００２９】
【図１】本発明の一実施形態に係る、協調送信ポイントの選択方法を示すフローチャートである。
【図２】本発明の別の実施形態に係る、協調送信ポイントの選択方法を示すフローチャートである。
【図３】本発明の一実施形態において、協調測定選択をトリガーするパワー範囲を示す図である。
【図４】本発明の一実施形態に係る基地局協調を示す図である。
【図５】本発明の一実施形態に係る、ダウンリンクマルチポイント協調基地局間のインタラクション及び実行過程を示す図である。
【図６】本発明の一実施形態に係る、協調送信ポイントの選択装置の構造を示す図である。
【発明を実施するための形態】
【００３０】
本発明の目的、技術的スキーム及び利点をより明確にさせるために、以下、添付図面及び具体的な実施形態を合わせて本発明を詳しく説明する。
【００３１】
図１は、本発明の一実施形態に係る、協調送信ポイントの選択方法のフローチャートである。図１に示すように、当該実施形態のマルチポイント協調通信実現方法は、以下のステップを含む。
【００３２】
ステップ１０１：サービング基地局が、移動局によって報告された協調セルの測定情報に応じて、第２の協調セルリストを確立する。
【００３３】
サービング基地局は、移動局によって報告された協調セルの測定情報を受信する。前記測定情報は、予め設定された、サービングセルの第１の協調セルリストにおける協調セルを前記移動局が測定して得られた情報である。そして、サービング基地局は、前記報告された測定情報に応じて、サービングセルの第２の協調セルリストを確立する。前記第２の協調セルリストにおける協調セルは、前記第１の協調セルリストにおける、予め設定された第１閾値より信号強度が大きい協調セルである。
【００３４】
例えば、当該ステップ１０１において、前記移動局によって報告された協調セル測定情報は、前記第１の協調セルリストにおける、予め設定された第１閾値より信号強度が大きい協調セルの信号強度測定情報であるか、又は、前記第１の協調セルリストにおける全ての協調セルの測定情報である。前者の場合は、予め設定された第１閾値より信号強度が大きい協調セルが移動局によって選択され、そして協調セルの測定情報がサービング基地局に報告される。後者の場合は、予め設定された第１閾値より信号強度が大きい協調セルが、移動局によって報告された測定情報に応じて、サービング基地局によって選択される。
【００３５】
例えば、上記第１の協調セルリストは、システム、例えばサービング基地局により、周辺のセルの地理的な位置に応じて予め設定されてもよい。さらに、上記第１の協調セルリストは、静的或いは準静的であってもよく、ブロードキャストメッセージ又は制御メッセージを介して、サービング基地局によってサービングセルの移動局（ＵＥ）に通知されてもよい。
【００３６】
例えば、前記ステップ１０１において、予め設定された第１の協調セルリストにおける協調セルに対して前記移動局が行う測定は、前記移動局がサービングセルのエッジに移動した場合、又はサービングセルのサービス品質が、予め設定されたユーザ要求を満たすことができない場合に、前記サービング基地局又は前記移動局自身によりトリガーされる測定である。例えば、上記サービス品質が、予め設定されたユーザ要求を満たすかどうかは、サービス品質値（即ちＱｏＳ値）若しくはビット誤り率（ＢＥＲ：Ｂｉｔ  Ｅｒｒｏｒ  Ｒａｔｉｏ）と、対応する閾値との比を介して決定されてもよい。
【００３７】
ステップ１０２：前記サービング基地局が、前記第２の協調セルリストにおける、予め設定された協調条件を満たす協調セルをサービングセルの協調送信ポイントに決定する。
【００３８】
前記ステップ１０２において、前記第２の協調セルリストに、前記サービング基地局に所属する第１の協調セルが存在する場合、前記第１の協調セルを協調送信ポイントに決定し、そして前記第１の協調セルの動作モードを共同処理モードに設定する。
【００３９】
好ましくは、ステップ１０２において、前記第２の協調セルリストに、前記サービング基地局とは異なる基地局に所属する第２の協調セルが存在する場合、前記サービング基地局が、前記第２の協調セルが所属する基地局と情報インタラクションを行い、そして、予め設定された協調条件を前記第２の協調セルが満たすことをインタラクション情報が示した場合、前記第２の協調セルを協調送信ポイントに決定することを更に含む。当該ステップにおいて、例えば、サービング基地局は、Ｘ２インターフェースを介して協調セルが所属する基地局との間で情報インタラクションを行う。例えば、上記サービング基地局と、協調セルが所属する基地局（即ち協調基地局）との間のインタラクション情報は、基地局負荷情報、リソース占有情報、及び／又はパワー割り当て情報等であってもよい。例えば、前記第２の協調セルが所属する基地局の負荷、占有されたリソース、及び／又は測定パワーが、予め設定された協調条件を満たすことを前記インタラクション情報が示した場合、前記第２の協調セルを協調送信ポイントに決定する。
【００４０】
例えば、以下に示す各協調条件のうち１つ以上の協調条件を第２の協調セルが満たすことを前記インタラクション情報が示した場合、前記第２の協調セルを協調送信ポイントに決定する。
前記協調条件は、
ａ、前記第２の協調セルの負荷が、予め設定された第２閾値より小さい、
ｂ、前記第２の協調セルによって占有されたリソースと、前記サービング基地局によって前記移動局に割り当てられたリソースとが衝突しない、
ｃ、前記第２の協調セルの負荷が、予め設定された第３閾値より大きく、且つ予め設定された第４閾値より小さい、
ｄ、前記第２の協調セルの測定パワーが、予め設定されたパワー閾値より大きい、
ｅ、前記第２の協調セルが、前記第２の協調セルリストにおける、測定パワーが一番強い又は二番目強い協調セルである
ことである。
【００４１】
本発明の一実施形態に係る、ダウンリンクマルチポイント協調通信における協調送信ポイントの選択方法の実現では、第１の協調セルリストにおける協調セルが所属する基地局の地理的な位置と、サービング基地局の地理的な位置とが異なる場合、第１の協調セルリストにおける協調セルが所属する基地局が、サービング基地局と同じ周波数バンドで動作することが要求され、また、サービング基地局と同期することが要求される。
【００４２】
例えば、本発明の一実施形態に係る上記ステップ１０１において、以下に示す各条件のうち１つ以上が満たされた場合、前記移動局がサービングセルのエッジに移動したと判定される。
【００４３】
条件１、前記サービングセルの基準信号受信パワー（ＲＳＲＰ：Ｒｅｆｅｒｅｎｃｅ  Ｓｉｇｎａｌ  Ｒｅｃｅｉｖｅｄ  Ｐｏｗｅｒ）、基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、信号対雑音電力比（ＳＮＲ：Ｓｉｇｎａｌ‐ｔｏ‐Ｎｏｉｓｅ  Ｒａｔｉｏ）、信号対干渉雑音比（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｒａｔｉｏ）のうち１つ以上が対応する第５閾値よりも低い。
【００４４】
条件２、前記第１の協調セルリストにおける１つ以上の協調セルの基準信号受信パワー、基準信号受信品質、信号対雑音電力比、信号対干渉雑音比のうち１つ以上が対応する第６閾値より高い。
【００４５】
具体的な実現では、協調セル測定のトリガーメカニズムは、ＵＥが周期的に測定を実行するセルのＲＳＲＰ、ＲＳＲＱ、ＳＩＮＲ、ＳＮＲが、予め設定された閾値より小さい場合に、協調セル測定をトリガーするメカニズムであってもよい。
【００４６】
例えば、無線リソース制御（ＲＲＣ：Ｒａｄｉｏ  Ｒｅｓｏｕｒｃｅ  Ｃｏｎｔｒｏｌ）測定構成情報要素（ＩＥ：Ｉｎｆｏｒｍａｔｉｏｎ  ｅｌｅｍｅｎｔ）を介して、協調セル測定を行うようにセルエッジに移動したユーザに要求することができる。測定される信号強度情報は、ＲＳＲＰ、ＲＳＲＱ、ＲＳＳＩ、ＳＩＮＲ、ＳＮＲ等であってもよく、隣接セルリストの測定結果に応じて、協調セルリスト要求を満たすセルが選択され、協調セル測定情報が更新されてもよい。
【００４７】
好ましくは、移動局が、無線リソース制御測定構成情報要素に応じて、協調セル測定を行う。測定結果は、移動局によって選択的に報告されるか、又は全ての測定結果が移動局によって報告される。選択的な報告の条件としては、パワーサイズに従ってランク付けされた全ての協調隣接セル情報において、受信パワーが一番強い協調セル、若しくは、受信パワーが二番目強い協調セルであるということであってもよいし、協調隣接セルの測定値が、予め設定された閾値を超えるということであってもよい。
【００４８】
例えば、移動局は、周期的に測定されたサービングセルチャネル品質がセルエッジに近づく場合、システム構成メッセージに応じて、自動的に協調セル測定を開始する。
【００４９】
例えば、サービングセルは、セルエッジに移動した移動局の測定情報、又はサービス品質が、予め設定されたユーザ要求を満たさない移動局の測定情報に応じて、第２の協調セルリスト、即ち移動局の候補協調セル送信ポイントリストを確立する。協調セル測定情報を報告する移動局は、１つの移動局であってもよいし、地理的な位置がほぼ同じである１グループの移動局であってもよい。
【００５０】
好ましくは、本発明に係る方法実施形態のステップ１０２は、前記サービング基地局とは異なる基地局に所属する協調送信ポイントについては、以下に示す各ステップのうち１つ以上のステップを更に含む。
前記ステップは、
占用されたリソースと前記サービングセルによって割り当てられたリソースとが衝突した協調送信ポイントの動作モードを、協調スケジューリング又はビームフォーミングモードに設定するするステップ、
占用されたリソースと前記サービングセルによって割り当てられたリソースとが衝突しない協調送信ポイントの動作モードを、共同処理モードに設定するステップ、
協調送信ポイントとサービングセルがどちらもシングルアンテナ又は仮想シングルアンテナである場合、前記協調送信ポイントの動作モードを共同処理モードに設定するステップ、
ユーザのスループット要求を満たすことができないサービング基地局の協調送信ポイントの動作モードを共同処理モードに設定するステップ、
予め設定された第３閾値より負荷が大きく且つ予め設定された第４閾値より負荷が小さい協調送信ポイントの動作モードを協調スケジューリング又はビームフォーミングモードに設定するステップ
である。
【００５１】
好ましくは、協調送信ポイントと協調送信ポイントの動作モードが決定された後、一般的には、動作モードに応じて、補助的な測定が更に要求される。
【００５２】
さらに、サービング基地局が、協調セルが所属する基地局と情報インタラクションを行った後、協調送信ポイントの測定パイロット構成及び送信モード、送信期間、及び／又は所定の検出（Ｓｏｕｎｄｉｎｇ）信号が更に決定されてもよい。所定の検出信号は、移動局によって送信されるか、又は、協調セルの所属基地局に対して補助的な測定を行うことを通知するように構成されている。これらの情報は、協調送信ポイントのチャネルに対する更なる補助的な測定に用いることができる。
【００５３】
本発明に係る実施形態は、通常の動作モードからマルチポイント協調モードに移行するマルチポイント協調実現方式を提供する。本発明に係る実施形態の技術的スキームにより、セルエッジに位置する移動局がよりよいサービス品質（ＱｏＳ：Ｑｕａｌｉｔｙ  ｏｆ  Ｓｅｒｖｉｃｅ）とユーザスループットを取得することができるようになる。さらに、本発明に係る実施形態において、協調送信ポイントのセル及び協調送信ポイントの動作モードは、固定されておらず、実際の無線チャネル環境に応じて変更することができる。これにより、セルがよりよい方式で協同で動作することができ、これは、セルエッジのユーザレートと信頼性を高めることに有利である。
【００５４】
本発明に係る方法の実施形態は、協調送信ポイントが決定された後、好ましくは、協調送信ポイント及び協調動作ポイントの動作モードが決定された後、以下のステップを更に含む。
【００５５】
ステップ１０３：前記サービング基地局が、前記協調送信ポイントのチャネル情報を測定するように前記移動局に通知する。当該チャネル測定は、補助的な測定である。例えば、測定されるチャネル情報は、協調セルのチャネルマトリックス、チャネルの共分散、干渉強度、干渉ビームポインティング等のうち１つ以上を含む。
【００５６】
ここで、協調送信ポイントのチャネル情報は、前記移動局によって送信された検出信号に応じて、前記協調送信ポイントにより測定及び取得された情報である。
【００５７】
ステップ１０４：前記サービング基地局が、前記協調送信ポイントのチャネル測定情報に応じて、前記協調送信ポイントの初期動作パラメータを決定し、前記初期動作パラメータを前記協調送信ポイントに送信する。
【００５８】
上述の補助的な測定の測定結果を利用して、協調セルの動作モードに応じて、異なるチャネル状態をフィードバックすることができる。
【００５９】
好ましくは、サービング基地局は、協調セルの測定パイロットを更に構成してもよく、移動局が協調送信ポイントのチャネル測定を行う。例えば、測定パイロットがサービング基地局のセルと協調基地局のセルにおいて直交に維持される。チャネル情報は、移動局によって測定され、ダウンリンク協調重み値の調整のために、サービング基地局にフィードバックされる。
【００６０】
好ましくは、サービング基地局は、協調セルが所属する基地局が、協調送信ポイントのチャネル測定を行うことができるようにするために、所定の検出（Ｓｏｕｎｄｉｎｇ）信号を送信するように移動局に更に要求してもよい。例えば、当該検出信号は、サービング基地局によって予め設定されてから移動局に通知され、移動局によって送信される。例えば、協調送信ポイントのチャネル情報は、前記協調送信ポイントが前記移動局によって送信された検出信号に応じて、協調セルの移動局測定のＳｏｕｎｄｉｎｇ信号を介して得られる。移動局が前記予め設定された検出信号を前記協調送信ポイントが所属する基地局に送信し、協調セルが所属する基地局（即ち協調基地局）が移動局によって送信されたＳｏｕｎｄｉｎｇ信号に応じて、協調送信ポイントチャネル測定を行って、協調セルのアップリンクチャネルマトリックス等のチャネルパラメータを取得できる。取得されたアップリンクチャネルマトリックス等のチャネルパラメータは、ダウンリンク協調重み値を調整することに用いられる。協調基地局が前記協調送信ポイントのチャネル情報を前記サービング基地局に送信し、前記サービング基地局が前記協調送信ポイントのチャネル情報に応じて、前記協調送信ポイントの初期動作パラメータを決定し、そして前記初期動作パラメータを前記協調送信ポイントに送信する。上記初期動作パラメータは、例えば、協調基地局の送信重み値を含む。
【００６１】
サービング基地局が上記補助的な測定の結果に応じて、協調基地局を選択し、協調基地局との情報インタラクションを行い、協調送信ポイントの初期動作パラメータを決定し、そして協調要求に従って送信し、その後、協調送信ポイントの間で決定された動作パラメータに従って協同動作を開始できる。例えば、動作モードがＪＰモードである協調送信ポイントについては、決定された初期動作パラメータは、リソーススケジューリング、協調セルが所属する基地局（即ち協調基地局）の送信重み値、及び／又は協調移動局のデータを含む。動作モードがＣＳ／ＣＢモードである協調送信ポイントについては、決定された初期動作パラメータは、リソーススケジューリング、及び／又は協調基地局の送信重み値を含む。
【００６２】
本発明に係る実施形態の技術的スキームは、マルチセルの最適化を行い、複数の選択可能な動作モードによってシステムレベル干渉を低減することができるだけでなく、さらにセルエッジのユーザレートと信頼性を向上させることができる。
【００６３】
本発明に係る実施形態の具体的実現では、無線リソース制御ＲＲＣの接続状態で動作し、セルエッジに移動し、協調セルが同じ周波数バンドで動作し、セル間で同期を維持するように移動局に要求する。
【００６４】
以下、本発明に係る実施形態のＣｏＭＰ動作方式を例を挙げて説明する。
【００６５】
本発明に係る実施形態のＣｏＭＰシステムにおいて、協調エリアにおける協調セル動作モードの構成方法は、図２に示すように、主に４つのステップを含む。
【００６６】
ステップ２０１：移動局がシステム（即ちサービング基地局）の構成測定方式及び測定内容に応じて協調セル測定を行って測定情報を報告する。
【００６７】
ステップ２０２：基地局間の情報インタラクションを行い、協調送信ポイントを決定する。
【００６８】
ステップ２０３：更なる補助的な測定を実行するように協調基地局に通知する。
【００６９】
ステップ２０４：協調送信ポイントの協調モードと動作パラメータを決定する。
【００７０】
ここで、協調セルが所属する基地局とサービング基地局が同一のｅＮＢである場合、基地局間の情報インタラクションを行う必要はない。
【００７１】
ここで、測定過程について、従来のＲ８バージョンの測定では、ＬＴＥにおける接続状態測定過程は、Ｅ−ＵＴＲＡＮがＲＲＣの再構成ＩＥを送信する。当該再構成ＩＥは、測定ＩＤとタイプ、測定対象、測定数量、測定報告数量、報告根拠等を含む。ＵＥは、受信された、ＲＲＣによって送信された測定構成ＩＥ要求に応じて、測定を行い、測定報告基準に応じて、報告を行う必要があるかどうかどうかを判断する。
【００７２】
本発明に係る実施形態のＬＴＥにおける協調セル測定過程では、主な測定内容は、基準信号受信パワー（ＲＳＲＰ：Ｒｅｆｅｒｅｎｃｅ  Ｓｉｇｎａｌ  Ｒｅｃｅｉｖｅｄ  Ｐｏｗｅｒ）、基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、受信信号強度指示（ＲＳＳＩ：Ｒｅｃｅｉｖｅｒ  Ｓｉｇｎａｌ  Ｓｔｒｅｎｇｔｈ  Ｉｎｄｉｃａｔｏｒ）を含む。ここで、ＲＳＲＱ＝Ｎ×ＲＳＲＰ／（Ｅ−ＵＴＲＡ  ＲＳＳＩ）であり、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  ｃａｒｒｉｅｒ）は、キャリアである。
【００７３】
本発明の一実施形態に係る、ＬＴＥにおけるトリガー協調セル測定過程の１つの例は、以下のステップを含む。この例では、測定ＲＳＲＰを一例とする。
【００７４】
ステップ１：サービングセルのＲＳＲＰ＜Ｉを検出して協調セル測定をトリガーする。Ｉは、サービングセルの予め設定された閾値である。
【００７５】
ステップ２：Ｅ−ＵＴＲＡＮがＲＲＣ再構成メッセージを送信し、測定情報要素（ＩＥ）を構成する。
【００７６】
ステップ３：測定タイムスロットが満了した場合、移動局が測定構成ＩＥの構成に応じて隣接セルに対する測定を開始するようにダウンリンク物理層（ＤＬＰＨＹ）に通知する。
【００７７】
ステップ４：移動局が測定結果の判定を行って移動局のＲＲＣメッセージを報告する。
【００７８】
ステップ５：移動局ＲＲＣが測定結果をＲＲＣメッセージに封入してサービング基地局ｅＮＢに報告する。
【００７９】
この例では、Ｒ８バージョンと異なる点は、隣接セルリストの代わりに、協調セルリストを選択して測定するという点である。この例では、従来技術のＲ８でＲＳＲＰ等の協調セル測定をトリガーするための情報を周期的に測定する。同一周波数同期ネットワークであれば、隣接セルリストと協調セルリストが同じだと認められる。協調セルリストは、隣接セルリストの一部と重複（オーバーラップ）していてもよく、重複している場合、隣接セルの測定結果に応じて測定結果を更新でき、これにより、協調セルの測定数量を減らすことができる。ＲＲＣＩＥを構成することにより、隣接セルと重複しない協調セル測定を指定する。
【００８０】
この例では、協調セル測定をトリガーする条件は、サービングセルのＲＳＲＰ及び／又はＲＳＲＱが構成閾値より低いことか、又は協調セルとする隣接セルのＲＳＲＰ及び／又はＲＳＲＱが所定閾値より高いことであってもよい。
【００８１】
ＣｏＭＰについて、基地局がＸ２インターフェースを介してインタラクションを行った情報は、Ｒ８バージョンにおける既存の情報と協調基地局に新規に追加された交換ＩＥを含む。Ｒ８バージョンにおける既存の情報は、各物理リソースブロック（ＰＲＢ）の送信パワーがＲＮＴＰの閾値より低いかどうかを示すための相対ナローバンド送信パワー（Ｒｅｌａｔｉｖｅ  Ｎａｒｒｏｗｂａｎｄ  Ｔｘ  Ｐｏｗｅｒ：ＲＮＴＰ）指示ＩＥ、負荷状態を示すための負荷指示情報要素（Ｌｏａｄ  Ｉｎｄｉｃａｔｏｒ  Ｉｎｆｏｒｍａｔｉｏｎ  Ｅｌｅｍｅｎｔ）、アップリンクとダウンリンクＰＲＢの使用状況を示するための無線リソース状態情報要素（Ｒａｄｉｏ  Ｒｅｓｏｕｒｃｅ  Ｓｔａｔｕｓ  ＩＥ）、Ｅ−ＵＴＲＡＮの全てのリソース中で使用可能なリソース数を示するための容量値情報要素（Ｃａｐａｃｉｔｙ  Ｖａｌｕｅ  ＩＥ）を含む。
【００８２】
本発明に係る実施形態において、協調基地局に新規に追加されたインタラクション情報は、
ＵＥのスループット、信頼性をスケージュールして向上させるために、協調ＵＥのデータのインタラクションを行うように協調基地局に指示するように構成され、ＪＰモードで用いられる移動局データ情報要素（ＵＥｄａｔａＩＥ）、
協調基地局が自身の負荷状況に応じてＪＰ方式を採用するか、又はＣＳ／ＣＢ方式を採用するかを決定することができるようにするために、協調ＵＥに対するサービング基地局のリソース占有状況を示すように構成されている移動局リソース情報要素（ＵＥＲｅｓｏｕｒｃｅＩＥ）、
協調基地局の送信重み値を計算するために、協調基地局のインタラクションのチャネル測定データを示すように構成されている移動局チャネル状態情報（ＵＥＣＳＩＩＥ）を含む。
【００８３】
本発明に係る実施形態において、サービング基地局が協調基地局の測定結果とＸ２インターフェースのインタラクション結果に応じて、更に補助的な測定を行うことができる。具体的な実現において、協調送信ポイントリストにおける、信号強度が大きい基地局を選択し、最初に決定された協調モードに応じて、次の更なる測定を行ってもよい。例えば、各協調基地局は、協調セルの測定パイロットを構成することで、補助的な測定を実行してもよく、ＵＥの所定のＳｏｕｎｄｉｎｇの構成を介して、協調セルにより測定してもよい。測定内容は、チャネルマトリックス、チャネルの共分散、干渉強度、及び／又は干渉ビームポインティングであってもよく、測定内容は、協調基地局動作モード、協調の構成モードに応じて異なってもよい。
【００８４】
本発明に係る実施形態において、協調送信ポイントの動作モード構成と協調送信ポイントの初期動作パラメータ構成を行う場合、サービング基地局は、上記補助的な測定の結果と協調スケジューリングの結果に応じて、優先的にサービング基地局と同局の協調基地局を選択してＪＰ協調を行い、他の非同局の協調基地局を選択してＣＳ／ＣＢスケジューリングを行う。これにより、基地局間のＸ２インターフェースのインタラクション量を減少させることができる。具体的な実現において、例えば、サービング基地局は、Ｘ２インタラクションのインタラクション結果に応じて、優先的に軽い負荷の協調基地局を選択して協調を行い、優先的に強い干渉の基地局を選択して協調を行う。また、ユーザスケージュールのデータバッファ（ｂｕｆｆｅｒ）とサービス品質（Ｑｏｓ）に応じて、協調モードを選択し、更なるチャネル測定結果に応じて、協調基地局をＪＰ協調基地局として選択する。そして基地局間のインターフェースを介して協調データ、協調動作パラメータのインタラクション、及び協調スケジューリングを行う。更なるチャネル測定結果に応じて、協調基地局をＣＳ／ＣＢ協調基地局として選択して、そして基地局間のインターフェースを介して協調スケジューリングを行い、協調動作パラメータのインタラクションを行う。
【００８５】
以下、２つの具体的な例を挙げて本発明に係る実施形態の方法を説明する。
【００８６】
実施形態１
第１ステップ
ターゲットサービングセルが所属する基地局（ｅＮＢ）が、ダウンリンク制御チャネルを介してテストコマンドを移動局に送信し、構成されたセルを要求に従って測定するように移動局に要求する。例えば、当該構成されたセルは、予め構成された第１の協調セルリストにおけるセルである。測定の内容は、ＲＳＲＰ、ＲＳＲＱ等を含む。図３に示すように、この例では、サービングセル（ｃｅｌｌ０）のＲＳＲＰが１０ｄＢ〜−１０ｄＢに位置する場合、ｃｅｌｌ０がセルエッジまで移動したと判定され、そして協調セルの周期的測定が開始される。サービングセル（ｃｅｌｌ０）のＲＳＲＰ＝１０ｄＢを一例として、ｃｅｌｌ０がセルエッジまで移動すると、協調セルの周期的測定が開始される。例えば、図３では、協調セルのＲＳＲＰ測定パワー範囲にある場合が示されているが、本発明は、これに限定されない。協調セル測定をトリガーするＲＳＲＰ範囲は、任意に変更することができ、その範囲の選択は、例えばマクロセル、マイクロセル、ピコセル等のセルの適用状況に依存する。この例では、測定された協調セルとしての隣接セルの信号強度は、表１に示される。
【００８７】
【表１】
0005560372.tif 000002
【００８８】
第２ステップ
移動局が第１ステップの測定結果に応じて条件を満たすセル結果を選択して報告する。当該ステップでは、報告判定基準は、隣接セルのパイロット信号強度がサービングセルパイロット信号強度より小さく且つ設定された閾値より大きいという条件を満たすことである。例えば、閾値を、（協調セル基準シンボルの受信パワー−サービングセル基準シンボルの受信パワー）|ｄＢ＜基準シンボルの受信パワーの閾値、（協調セル基準シンボルの受信品質−サービングセル基準シンボルの受信品質）|ｄＢ＜基準シンボルの受信品質の閾値に設定することができる。設定された閾値は、移動局のサービス要求とシステムの負荷状況に応じてサービング基地局によって構成されてもよく、又は、測定された隣接セルのＲＳＲＰ値に応じて、直接選択されてもよい。この例では、ｃｅｌｌ４とｃｅｌｌ５の測定結果が報告条件を満たさないので、これらは報告されない。報告される、セル１（ｃｅｌｌ１）、セル２（ｃｅｌｌ２）、セル３（ｃｅｌｌ３）の測定結果は、具体的に以下の表２に示される。
【００８９】
【表２】
0005560372.tif 000003
【００９０】
第３ステップ
測定セルとサービングセルが同一のｅＮＢに属する場合、第４ステップに移り、同一のｅＮＢに属しない場合、Ｘ２インターフェースを開始して測定セル（即ち協調セル）が所属する基地局とサービング基地局の間で情報インタラクションを行う。具体的なインタラクション情報については、以下の表３を参照する。この例では、ｃｅｌｌ１とｃｅｌｌ０が同一のｅＮＢに属するように設定されている。
【００９１】
【表３】
0005560372.tif 000004
【００９２】
第４ステップ
協調セル選択
この例では、協調セル選択の判定基準は、以下の様なものである。サービングセルと測定セルが同一のｅＮＢに属する場合、この例では、測定セルは、選択されて測定された協調セルであり、サービングセルと同じリソースが割り当てられることを防止するために、測定セルは、優先的にＪＰ候補集合に選択される。即ち優先的に協調送信ポイントとして選ばれ、そしてその動作モードがＪＰモードに決定される。また、セルアンテナ構成について、サービングセルと測定セルが共にシングルアンテナ又は仮想シングルアンテナである場合、ＪＰ候補集合に選択される。また、サービングセルと測定セル即ち協調セルがエッジにある移動局に近づき且つ移動局と共に同じリソースを割り当てられ、そして様々な空間特徴に従って最大に空間特性を割り当てる場合、当該測定セルがＣＢ候補集合に選択され（即ちＣＢモードで動作する）、ほかの基地局がＣＳ候補集合に選択される（即ちＣＳモードで動作し、Ｒ８モードで干渉協調処理を行う）。本発明に係る実施形態において決定された３つの協調送信ポイント及びその設定された動作モードを以下の表４に示す。
【００９３】
【表４】
0005560372.tif 000005
【００９４】
第５ステップ
更なる測定
協調セルに入ったセルパイロット構成方式は、チャネル品質測定パイロットであってもよい。原則的には、測定を容易にするために、各協調セルパイロットは、直交又は準直交に維持され、更なる測定が、システム要求に応じて実行される。
【００９５】
ＪＰ方式の協調送信ポイントについて、さらに測定される情報は、例えば、ＵＥによって測定された各協調ｅＮＢのチャネル情報Ｈｉｊを含む。ここで、Ｈｉｊは、測定がｉ個のユーザ、ｊ個の基地局に拡張されることを意味する。即ち、Ｈｉｊ  ｉ＝１，２，・・Ｍ、ｊ＝１，２，・・Ｎであり、ｉは、ユーザ識別子であり、ｊは、基地局識別子である。チャネルマトリックスＨは、以下のように示される。
【００９６】
【数１】
0005560372.tif 000006
【００９７】
この例では、サービング基地局（ｅＮＢ１）に１つのユーザＵＥ１が存在し、所属する基地局が（ｅＮＢ２）である協調セルに１つの干渉ユーザＵＥ２が存在する場合を一例として、互いに協調する２つのセルがサービングセルと協調セルであり、図４は、この例で基地局が協調することを示す図である。
【００９８】
この例では、当該チャネル情報がサービング基地局にフィードバックされた後、サービング基地局がそのサービングＵＥだけでチャネルをフィードバックするので、即ち、ｅＮＢ１がＨ１１、Ｈ２１を得て、ｅＮＢ１がＨ２２、Ｈ１２を得て、基地局がインタラクションを行うことによりチャネルマトリックスＨを得た後、サービング基地局よりプリコーディングベクトル即ち協調送信重みＷを計算し、例えば、以下のような公式に従ってゼロフォーシング方法を用い、即ち受信した干渉を強制的にゼロにさせる。
【００９９】
【数２】
0005560372.tif 000007
【０１００】
すると、Ｗｊ  ｊ＝１，２，・・Ｎは、即ちｊ個目のｅＮＢのプリコーディングマトリックスである。Ｗｊ  ｊ＝１，２，・・Ｎを隣接セルにインタラクションする。σ２は雑音分散であり、ＨＨは共役転置を示し、Ｉは単位マトリックスである。ここで、２つのセルだけあって、ｃｅｌｌ０の重み値がＷ１であり、ｃｅｌｌ１の重み値がＷ２であり、Ｗ２を基地局２にインタラクションして基地局２のユーザ２の送信重み値として、Ｗ１を基地局１のユーザ１の送信重みとして、基地局間の協調を実現する。
【０１０１】
ＣＢ方式にける協調送信ポイントについて、更なる測定される情報は、例えば、ＵＥから各協調基地局ｅＮＢまでのチャネル情報を含み、即ち、ＵＥによって測定された各協調ｅＮＢのチャネル情報Ｈｉｊは、第ｉセルにおけるＵＥがｊセルに対するチャネルマトリックスを示し、即ち、Ｈｉｊ  ｉ＝１，２，・・Ｍ、ｊ＝１，２，・・Ｎであり、ｉはユーザ識別子であり、ｊは基地局識別子である。チャネルマトリックスＨは、以下のように示される。
【０１０２】
【数３】
0005560372.tif 000008
【０１０３】
例えば、サービング基地局（ｅＮＢ１）に１つのユーザＵＥ１が存在し、所属する基地局が（ｅＮＢ２）である協調セルに１つの干渉ユーザＵＥ２が存在する場合を一例として、互いに協調する２つのセルは、サービングセルと協調セルである。このとき、移動局が測定するチャネルは、Ｈｉｊ  ｉ＝１，２，・・Ｍ、ｊ＝１，２，・・Ｎである。
【０１０４】
第ｉセルにおけるＵＥがｊセルに対するチャネルマトリックスを示す。
第ｉセルにおけるＵＥがｊセルに対するチャネル関連マトリックスを計算し、Ｒｉｊ＝ＨｉｊＨＨｉｊ、移動局がＲｉｊ＝ＨｉｊＨＨｉｊをサービング基地局にフィードバックし、基地局の間でＲｉｊ＝ＨｉｊＨＨｉｊのインタラクションを行う。
【０１０５】
ＣＢに対して最大ＳＬＲ（信号対漏洩比）基準に従い、即ち受信した利用可能な信号パワーとほかのペアのＵＥに漏れたパワーとの比を最大化する。ｊ＝１，２，・・Ｎセルのプリコーディングマトリックスは、以下のように示される。
【０１０６】
【数４】
0005560372.tif 000009
【０１０７】
ここで、ｅｉｇｍｊ｛Ｒ｝は、Ｒの前のｍｊ個の大きい特徴値に対応する特徴ベクトルを示し、ｍｊはｊ個目のセルにおけるＵＥに用いられた層数を示す。ａは雑音分散であり、ＨＨは共役転置を示し、Ｉは単位マトリックスであり、表５に示すような測定された重みと協調後のリソースに応じて送信される。この例では、協調送信ポイントｃｅｌｌ１がＪＰモードで動作し、その初期化パラメータは決定された協調送信重みＷであり、協調送信ポイントｃｅｌｌ２がＣＢモードで動作し、その初期化パラメータは決定された協調送信重みＷであり、協調送信ポイントｃｅｌｌ３がＣＳモードで動作し、それが決定した協調動作はサービング基地局リソースと同じパワーを下げ、リソースを避けることである。
【０１０８】
【表５】
0005560372.tif 000010
【０１０９】
実施形態２
当該実施形態２において、第１ステップ〜第４ステップは、上記実施形態１の第１ステップ〜第４ステップと同じであるが、第５ステップは、上記実施形態１と異なる。
【０１１０】
この例では、第５ステップの更なる測定は、
サービング基地局が協調ＵＥによって構成されたＳｏｕｎｄｉｎｇを基地局間のインタラクションを介して協調基地局に通知することを含む。
各協調基地局がＵＥのＳｏｕｎｄｉｎｇを測定し、各協調基地局のチャネル情報を取得する。
協調基地局がインタラクションチャネル状態情報を開始して、送信重みを計算する。
以上の表５に示すような測定された重みと協調後のリソースに応じて送信する。
【０１１１】
本発明に係る実施形態のマルチポイント協調通信実現方法は、ユーザ測定に基づいて協調集合中の基地局協調モードを構成する方法を提供し、協調集合の協調基地局及び協調基地局の動作パラメータの合理的な構成を実現できる。
【０１１２】
図５は本発明に係る実施形態のダウンリンクマルチポイント協調基地局間のインタラクション及び実行過程を示す図である。図５に示すように、この例では、仮にＵＥ１のサービング基地局が基地局１（ｅＮＢ１）であり、ＵＥ２のサービング基地局が基地局２（ｅＮＢ２）であり、基地局２が、ＵＥ１の隣接セルが所属する基地局として、基地局１が、ＵＥ２の隣接セルが所属する基地局として、この例で上記隣接セルが協調セルであるとする。本発明に係る実施形態の方法により基地局１と基地局２との協調通信を実現する過程は、以下のステップを含む。
【０１１３】
ＵＥ１について、
ＵＥ１が基地局１のエッジまで移動した場合、協調セルの信号強度測定をトリガーし、基地局２の信号強度を測定し、この例では、協調セルのＲＳＲＰを測定すると、ほかの協調セルの信号強度も測定し、測定後、ＵＥ１が測定された協調セル即ちこの例での隣接セルのＲＳＲＰリストを基地局１にフィードバックし、基地局１と基地局２が情報インタラクションを行い、そして協調関係及び基地局のチャネル状態情報パイロット（ＣＳＩ−ＲＳ）構成を決定し、協調関係が決定された後、基地局１が、基地局２のチャネル品質を測定するようにＵＥ１に要求し、この例では、基地局２のパラメータＣＳＩを測定し、ＵＥ１が基地局２のＣＳＩ値を測定した後、この値を基地局１にフィードバックし、基地局１が協調基地局の動作パラメータを決定し、ユーザパラメータを含み、そして基地局の協調モードに応じて、ＵＥ１に向けて協調送信を行い、ＣＢ方式で基地局１がＵＥ１にデータを送信し、それによって基地局１のユーザ２に対する干渉を最小にさせる。
【０１１４】
ＵＥ２について、
ＵＥ２が基地局２のエッジまで移動した場合、協調セルの信号強度測定をトリガーし、基地局１の信号強度を測定し、この例では、協調セルのＲＳＲＰを測定すると、ほかの協調セルの信号強度も測定し、測定後、ＵＥ２が測定された協調セル即ちこの例での隣接セルのＲＳＲＰリストを基地局２にフィードバックし、基地局１と基地局２が情報インタラクションを行い、そして協調関係及び基地局のチャネル状態情報パイロット（ＣＳＩ−ＲＳ）構成を決定し、協調関係が決定された後、基地局２が、基地局１のチャネル品質を測定するようにＵＥ２に要求し、この例では、基地局１のパラメータＣＳＩを測定し、ＵＥ２が基地局１のＣＳＩ値を測定した後、この値を基地局２にフィードバックし、基地局２が協調基地局の動作パラメータを決定し、ユーザパラメータを含み、基地局の協調モードに応じて、ＵＥ２に向けて協調送信を行い、ＣＢ方式で基地局１がＵＥ２にデータを送信し、それによって基地局２のユーザ１に対する干渉を最小にさせる。
【０１１５】
この例では、ＵＥ１の協調セルが基地局２のセルだけであり、ＵＥ２の協調セルが基地局１のセルだけであることを例として、ＵＥ１とＵＥ２は、ほかの協調セルを有してもよく、ほかの協調セルに対して、測定過程が類似するので、ここで詳しく説明が不要である。
【０１１６】
本発明に係る実施形態は、ダウンリンクマルチポイント協調通信において協調送信ポイントを選択することに用いられる協調送信ポイントの選択装置を更に提供する。図６に示すように、当該選択装置は、サービング基地局を含み、前記サービング基地局は、第１の処理モジュールと決定モジュールを含む。
【０１１７】
第１処理モジュールは、移動局によって報告された協調セルの測定情報を受信し、そして前記報告された測定情報に応じて、サービングセルの第２の協調セルリストを確立することに用いられる。前記測定情報は、予め設定された、サービングセルの第１の協調セルリストにおける協調セルを前記移動局が測定して得られた情報であり、前記第２の協調セルリストにおける協調セルは、前記第１の協調セルリストにおける、予め設定された第１閾値より信号強度が大きい協調セルである。
【０１１８】
決定モジュールは、前記第２の協調セルリストにおける、予め設定された協調条件を満たす協調セルを協調送信ポイントに決定することに用いられる。
【０１１９】
好ましくは、前記選択装置の前記決定モジュールは、
前記第２の協調セルリストに、前記サービング基地局に所属する第１の協調セルが存在する場合、前記第１の協調セルを協調送信ポイントに決定し、そして前記第１の協調セルの動作モードを共同処理モードに設定することに用いられる第１の決定モジュールを含む。
【０１２０】
好ましくは、前記選択装置の前記決定モジュールは、
前記第２の協調セルリストに、前記サービング基地局とは異なる基地局に所属する第２の協調セルが存在する場合、前記第２の協調セルが所属する基地局と情報インタラクションを行うことに用いられるインタラクションモジュールと、
予め設定された協調条件を前記第２の協調セルが満たすことを前記インタラクション情報が示した場合、前記第２の協調セルを協調送信ポイントに決定することに用いられる第２の決定モジュールとを含む。
【０１２１】
好ましくは、前記選択装置の前記第２決定モジュールは、以下に示す協調条件のうち１つ以上を前記第２の協調セルが満たすことを前記インタラクション情報が示した場合、前記第２の協調セルを協調送信ポイントに決定することに更に用いられる。
前記協調条件は、
ａ、前記第２の協調セルの負荷が、予め設定された第２閾値より小さい、
ｂ、前記第２の協調セルによって占有されたリソースと、前記サービング基地局によって前記移動局に割り当てられたリソースとが衝突しない、
ｃ、前記第２の協調セルの負荷が、予め設定された第３閾値より大きく、且つ予め設定された第４閾値より小さい、
ｄ、前記第２の協調セルの測定パワーが予め設定されたパワー閾値より大きい、
ｅ、前記第２の協調セルが前記第２の協調セルリストにおける、測定パワーが一番強い又は二番目強い協調セルである
ことである。
【０１２２】
好ましくは、前記選択装置の前記第２決定モジュールは、以下にしめす方式のうちの１つ以上に従って、協調送信ポイントの動作モードを決定することに更に用いられる。
前記方式は、
占用されたリソースと前記サービングセルによって割り当てられたリソースとが衝突した協調送信ポイントの動作モードを、協調スケジューリング又はビームフォーミングモードに設定する方式、
占用されたリソースと前記サービングセルによって割り当てられたリソースとが衝突しない協調送信ポイントの動作モードを、共同処理モードに設定する方式
協調送信ポイントとサービングセルがどちらもシングルアンテナ又は仮想シングルアンテナである場合、前記協調送信ポイントの動作モードを共同処理モードに設定する方式、
ユーザのスループットの要求を満たすことができないサービング基地局の協調送信ポイントの動作モードを共同処理モードに設定する方式、
負荷が予め設定された第３閾値より大きく且つ予め設定された第４閾値より小さい協調送信ポイントの動作モードを協調スケジューリング又はビームフォーミングモードに設定する方式
である。
【０１２３】
好ましくは、前記選択装置の前記サービング基地局は、
前記協調送信ポイントのチャネル情報を測定するように前記移動局に通知することに用いられる第２処理モジュールと、
前記協調送信ポイントのチャネル測定情報に応じて、前記協調送信ポイントの初期動作パラメータを決定し、前記初期動作パラメータを前記協調送信ポイントに送信することに用いられるパラメータ決定モジュールとを更に含む。
【０１２４】
本発明に係る実施形態の技術的スキームは、協調送信ポイントの選択過程、動作モード決定及びパラメータ初期化の方法に関する。協調セルの測定結果と基地局の情報インタラクション状況に応じて、第２の協調セルリストにおいて、協調に関与する基地局送信ポイントを選択し、協調に関与する基地局の協調方式を設定し、第２の協調リストにおける基地局をＪＰ方式とＣＳ／ＣＢ方式のどちらでも動作させることが可能となり、又は、協調に関与しない元のスケジューリング方式を維持する。本発明に係る実施形態の技術的スキームによれば、協調送信ポイントのセル及び協調送信ポイントの動作モードは、固定されておらず、実際の無線チャネル環境に応じて変化させることができ、これにより、セルがよりよい方式で協同動作できるようにさせ、これは、セルエッジのユーザレートと信頼性を高めることに有利である。
【０１２５】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
0005560372.tif 000011
【図２】
0005560372.tif 000012
【図３】
0005560372.tif 000013
【図４】
0005560372.tif 000014
【図５】
0005560372.tif 000015
【図６】
0005560372.tif 000016